(57)【特許請求の範囲】
【請求項１】
通信システムのメディア制御エンティティ（１２０Ａ）によるマルチメディア呼設定を処理する方法であって、
前記通信システムは、さらに、第１の端末（１０１、１０５）、第２の端末（１０２）及び前記メディア制御エンティティの制御下にあるメディア交換エンティティ（１２０Ｂ）を備えており、前記第１の端末及び前記第２の端末は、複数のメディア形式を含むマルチメディア呼を行う能力があり、
前記第１の端末が初期化するマルチメディア呼設定要求を受信するステップ（２０２）と、
前記第２の端末への呼設定にどのメディア形式が許容されるかを示す情報を、前記メディア制御エンティティが維持するデータベース（１２３）から選択するステップ（２０３）と、
前記第２の端末へ後続呼の設定を行うステップ（２０４）であって、前記後続呼は前記情報が示すメディア形式であり、前記後続呼の設定は、前記メディア制御エンティティにより命令される、ステップと、
前記後続呼の設定に対する、前記第２の端末が初期化した応答を受信するステップ（２０６）と、
前記許容されるメディア形式と前記第２の端末が初期化した前記応答に応じて、前記後続呼、前記第２の端末の制御下にあるビデオ・ソース又は前記第２の端末に関連するメール・ボックスに前記マルチメディア呼を交換するために前記メディア交換エンティティに命令するステップ（２０７）と、
を含み、
前記第２の端末への呼設定として音声メディア形式が許容されると前記情報が示しており、前記交換されたチャネルは音声チャネルであり、
前記方法は、前記マルチメディア呼経由でビデオ・ソースと前記第１の端末との間でビデオ・チャネルを交換するために、前記メディア交換エンティティに命令するステップを含む、ことを特徴とする方法。
【請求項２】
前記第２の端末が初期化した前記応答は、前記マルチメディア呼及び前記後続呼経由で前記第１の端末と前記第２の端末との間でチャネルを交換するために、前記メディア交換エンティティに対して命令する受諾である、
ことを特徴とする請求項１に記載の方法。
【請求項３】
前記呼設定としてビデオ・メディア形式が許容されると前記情報が示しており、前記交換されたチャネルはビデオ・チャネルである、
ことを特徴とする請求項２に記載の方法。
【請求項４】
前記第２の端末が初期化した前記応答は拒絶である、
ことを特徴とする請求項１に記載の方法。
【請求項５】
前記第２の端末への呼設定として音声メディア形式が許容されると前記情報が示しており、
前記方法は、前記マルチメディア呼経由で前記第１の端末と前記第２の端末に関連するメール・ボックスとの間でチャネルを交換するために、前記メディア交換エンティティに命令するステップを含む、
ことを特徴とする請求項４に記載の方法。
【請求項６】
前記第２の端末への呼設定としてビデオ・メディア形式が許容されると前記情報が示しており、前記マルチメディア呼経由でビデオ・ソースと前記第１の端末との間でチャネルを交換するために、前記メディア交換エンティティに命令する、
ことを特徴とする請求項４に記載の方法。
【請求項７】
前記第２の端末が初期化する更なる応答は受諾であり、
前記方法は、前記マルチメディア呼及び前記後続呼経由で前記第１の端末と前記第２の端末との間で音声チャネルを交換するために、前記メディア交換エンティティに命令するステップを含む、
ことを特徴とする請求項６に記載の方法。
【請求項８】
前記第２の端末が初期化する更なる応答は、前記後続呼の設定を解放する拒絶であり、
前記方法は、前記マルチメディア呼経由で前記第１の端末と前記第２の端末に関連するメール・ボックスとの間でチャネルを交換するために、前記メディア交換エンティティに命令するステップを含む、
ことを特徴とする請求項６に記載の方法。
【請求項９】
前記メディア交換エンティティは、前記第１の端末と前記第２の端末又は前記第２の端末に関連するメール・ボックスとの間の共通するコーデックの交渉を初期化する、
ことを特徴とする請求項１、２、３及び７のいずれか１項に記載の方法。
【請求項１０】
通信ネットワークの第１の端末（１０１、１０５）が初期化する第２の端末（１０２）へのマルチメディア呼設定を処理する様に構成されたメディア制御エンティティ（１２０Ａ）であって、
前記第１の端末及び前記第２の端末は、複数のメディア形式を含むマルチメディア呼を行う能力があり、
前記メディア制御エンティティは、前記第１の端末及び前記第２の端末と通信可能な様に接続されるメディア交換エンティティ（１２０Ｂ）を制御する様に構成され、
前記メディア制御エンティティは、さらに、データベース部（１２３）から情報を選択する選択部（１２５）を備えており、
前記情報は、前記第２の端末への呼設定にどのメディア形式が許容されるかを示し、
前記メディア制御エンティティは、さらに、前記第２の端末への前記選択した情報が示すメディア形式での後続呼の設定を初期化する様に構成されており、
前記メディア制御エンティティは、さらに、前記第２の端末が初期化した応答を受信する様に構成されており、前記許容されるメディア形式と前記第２の端末が初期化した前記応答に応じて、前記後続呼、前記第２の端末の制御下にあるビデオ・ソース又は前記第２の端末に関連するメール・ボックスに前記マルチメディア呼を交換するために前記メディア交換エンティティに命令する様に構成されており、
前記第２の端末への呼設定として音声メディア形式が許容されると前記情報が示しており、前記交換されたチャネルは音声チャネルであり、
前記メディア制御エンティティは、前記マルチメディア呼経由でビデオ・ソースと前記第１の端末との間でビデオ・チャネルを交換するために、前記メディア交換エンティティに命令する、
ことを特徴とするメディア制御エンティティ。
【請求項１１】
前記メディア制御エンティティは、さらに、前記第１の端末にメディア・コンテンツを提供するために、前記メディア交換エンティティにメディア・コンテンツを提供するビデオ・ソースに命令する様に構成されている、
ことを特徴とする請求項１０に記載のメディア制御エンティティ。
【請求項１２】
前記メディア制御エンティティは、さらに、前記第２の端末が初期化した予め決められたシグナリング動作を受信する様に構成され、
前記メディア制御エンティティは、さらに、前記シグナリング動作の受信に応答して、前記後続呼に適用されたメディア形式とは異なるメディア形式の更なる後続呼を前記第２の端末に設定するための要求を提出するように構成されている、
ことを特徴とする請求項１０又は１１に記載のメディア制御エンティティ。
【発明の詳細な説明】
【技術分野】
【０００１】
本発明は、通信ネットワークにおいて、発呼端末による被呼端末へのマルチメディア呼設定要求を処理する方法及びシステムに関し、メディア制御ノードは、被呼端末の応答により交換動作を制御する。
【背景技術】
【０００２】
公衆電話交換網（ＰＳＴＮ）又は統合デジタルサービス通信網（ＩＳＤＮ）のような伝統的な回線交換（ＣＳ）による通信ネットワークは、例えば、汎欧州ディジタル移動電話方式（ＧＳＭ）、広帯域符号分割多重接続（Ｗ−ＣＤＭＡ）又は時分割−同期符号分割多重接続（ＴＤ-ＳＣＤＭＡ）として実現されている公衆地上移動通信網（ＰＬＭＮ）によって補完されている。今日、ＰＬＭＮネットワークは、例えば、インターネット・プロトコル（ＩＰ）接続を確立するためにパケット交換（ＰＳ）通信をサポートしており、音声及びビデオのような高度な通信を可能としている。
【０００３】
伝統的な通信方法と看做される音声呼は、一定レベルの双方向通信を提供するが、メディアとしてのビデオは、より高度なレベルでより高機能な通信方法である。
【０００４】
第３世代パートナーシップ・プロジェクト（３ＧＰＰ）が採用した３Ｇ−３２４Ｍのような標準は、ＣＳネットワークで対話型マルチメディアをサポートするよう定義されている。ＩＥＴＦ（Ｉｎｔｅｒｎａｔｉｏｎａｌ  Ｅｎｇｉｎｅｅｒｉｎｇ  Ｔａｓｋ  Ｆｏｒｃｅ）は、ＩＰによるＰＳネットワークで開始されるマルチメディア呼をサポートするセッション開始プロトコル（ＳＩＰ）を定義している。
【０００５】
被呼側が、その端末で３Ｇ−３２４Ｍのビデオ電話の呼設定に応答する場合、呼設定後にビデオ・チャネル及び音声チャネルの両方が確立される。
【０００６】
被呼側においてハンド・フリーが可能でないなら、被呼側の端末のラウド・スピーカを作動させ、発呼側からの音声を出力し、被呼側の端末から取得した音声を音声チャネル経由で被呼側の端末に送るであろう。
【０００７】
呼設定に応答し、ビデオ・チャネル経由で発呼側の端末に撮影したビデオを送信する場合、被呼側の端末のカメラ（例えば移動電話機のフロント・カメラ）が作動させられるであろう。
【発明の概要】
【発明が解決しようとする課題】
【０００８】
しかしながら、ビデオによるより高機能な通信方法の出現はまた、ビデオ呼設定に応答する場合、被呼側のプライバシが一定のリスクを負う、という欠点をもたらす。個人的ではない領域において、ビデオ呼設定に対する応答が行われた場合、ビデオ画面は、他人のために意図していない場面を表示する可能性がある。被呼側の個人的場面を発呼側に提供する可能性のある、被呼側の端末のカメラの自動開始に対しても同じことが言える。
【０００９】
端末のビデオ能力からの恩恵に応じて、被呼側は、現在のプライバシ状況に関して、端末の構成選択又は設定を適合できる可能性がある。
【００１０】
被呼側が、到来するビデオ呼設定に対しての端末の構成選択に精通している場合でも、端末の構成選択の適用をユーザに許容しない状況や、少なくとも素早い適用であれば許容できるという状況である可能性があり、その結果プライバシ侵害をもたらす可能性がある。
【００１１】
加えて、３Ｇ−３２４Ｍ標準が提供する様に、被呼側の端末におけるラウド・スピーカの自動開始は、個人的ではない領域においてビデオ呼に応答する場合には、望ましくない可能性がある。ハンド・フリーのデバイスが無い場合によくあるのは、呼設定が、ビデオ呼設定であるかどうか、そしてラウド・スピーカの自動開始が侵略的になるかどうかを確認することなしに応答することである。
【００１２】
ビデオ呼の実装が原因となる個人的侵害問題は、ビデオ電話の成長の障壁と看做されている。
【００１３】
従って、上述の問題点を考慮して、通信ネットワークにおけるマルチメディア呼設定要求に応答する方法及びシステムを提供することが目的である。
【課題を解決するための手段】
【００１４】
メディア制御エンティティにより、多くのステップを実行する、マルチメディア呼設定を処理する方法について説明する。メディア制御エンティティは、マルチメディア呼を実行できる発呼端末及び被呼端末と、メディア制御エンティティによって制御されるメディア交換エンティティと同様に、電気通信ネットワークの一部である。発呼端末は、マルチメディア呼設定を初期化するので発呼端末であり、呼び出される端末は被呼端末である。マルチメディア呼は、複数のメディア形式、特に、同時に転送可能なビデオ、音声、テキスト又はデータを有する呼である。
【００１５】
メディア制御エンティティが実行するステップは以下のものを含む。
ａ）発呼端末が初期化するマルチメディア呼設定要求の受信。
ｂ）被呼端末への呼設定にどのメディア形式が許容されるかを示す情報の読み出し。
ｃ）その後の被呼端末への呼の設定。
ｄ）その後の呼の設定に対する、被呼端末により初期化される応答の受信。
ｅ）マルチメディア呼を交換するため、メディア交換エンティティに対する命令の提供。ここで、提供される命令は、許容されるメディア形式と被呼端末が初期化した応答に依存する。提供される命令は、発呼端末が初期化したマルチメディア呼の特定の交換をもたらし、マルチメディア呼は、とりわけ、後続する呼、被呼端末の制御下にあるビデオ・ソース、又は、被呼端末に関連するメール・ボックスに交換される。メール・ボックス形式は、音声メールとしても知られる音声メール・ボックス、又は、ビデオ・メール・ボックスのような特定の形式であり得る。
【００１６】
続いて、メディア制御エンティティについて説明する。メディア制御エンティティは、被呼端末に向けて発呼端末が初期化するマルチメディア呼設定を処理する様に構成される。メディア制御エンティティは、マルチメディア呼をサポートできる発呼端末及び被呼端末と、メディア制御エンティティが制御するメディア交換エンティティと共に電気通信ネットワークの一部である。発呼端末は、マルチメディア呼設定を初期化する。マルチメディア呼は、複数のメディア形式、特に、同時に転送可能なビデオ、音声、テキスト又はデータを有する呼を含むものと看做される。メディア制御エンティティは両方の端末に通信可能なように接続されている。
【００１７】
メディア制御エンティティは、データベース・ユニットからの情報を選択するのに適する選択ユニットを備える。この情報は、被呼端末への呼設定にどのメディア形式が許容されるかを表示する。
【００１８】
メディア制御エンティティは、選択した情報が表示するメディア形式の被呼端末に、後続の呼の設定を初期化するよう構成される。また、メディア制御エンティティは、被呼端末が初期化する応答を受信する様に構成され、メディア制御エンティティは、許容されるメディア形式と被呼端末が初期化した応答に応じて、マルチメディア呼を交換するためにメディア交換エンティティに命令する様に構成される。
【００１９】
続いて、通信ネットワークにおいてマルチメディア呼を実行するために構成された端末デバイスについて説明する。本ネットワークは、メディア制御エンティティを備え、メディア制御エンティティは、端末デバイスと通信可能なように接続されている。メディア制御エンティティと端末デバイスとの間の接続又は呼設定を解放するように、第１のメディア形式の接続又は第１のメディア形式の呼設定の拒絶又は解放を実行するため、メディア制御エンティティにシグナリング（信号を通知）する様に、端末デバイスは構成される。端末デバイスが初期化したシグナリングは、第１のメディア形式とは異なるメディア形式の端末デバイスに向けて、第２のメディア形式の呼設定への結果となる。
【００２０】
本発明は、移動端末がマルチメディア呼設定を受信し、しかし端末での単一動作で、例えば音声呼の様な単一メディア呼設定として、このマルチメディア呼設定に応答する利点を、マルチメディア能力のある移動端末のユーザに提供し、例えば、それが、マルチメディアとしての呼設定に応答することが適切でない場合、音声呼設定として呼設定に応答することを瞬時に決定するという特徴をユーザに提供する。
【００２１】
本発明は、確立された呼の間、被呼側の端末でボタンを押すような単一動作が現在の呼形式を交換する、例えば音声接続をビデオ接続に、及びその逆に交換するシーケンスを開始する。この単一のキーにより、両方の呼メディア形式の間で容易で、素早い、そして安全な交換が可能になる。
【００２２】
更なる利点は、本発明に基づくビデオ呼設定の応答は、その端末形式を頻繁に変更するユーザが、ビデオを許容するかブロックするための端末固有の設定を知る必要が無く、代わりに、例えばインターネットを経由して、又はサービス番号を呼び出すことにより行った単一の設定により、ユーザが自分の応答モードを制御できるということである。
【００２３】
本発明の実装がもたらす更なる利点は、適合化を必要とせず、最先端の端末に本方法を適用可能であるということであり、そこでは、例えば“いいえ”ボタンによる拒絶動作のような機能は、ユーザに理解可能な結果を与え、例えばビデオ呼設定に対する現在の呼出しが、本発明の適用により、例えば音声呼設定の呼出しに交換できる。
【００２４】
以下に、本発明の有利な実施形態について、当事業者に十分で完全な理解を与えるために、添付の図面を参照して説明する。しかしながら、これらの実施形態は、説明に役立つものであり、制限することを意図していない。
【図面の簡単な説明】
【００２５】
【図１】回線交換端末、回線交換Ｗ−ＣＤＭＡネットワーク及び回線交換でインタフェースするメディア交換ノードを備えている通信ネットワークを表わす概略図。
【図２】回線交換ネットワークにおける音声応答モードによるマルチメディア呼設定フローの概略図。
【図３】回線及びパケット交換端末、回線交換Ｗ−ＣＤＭＡネットワーク、パケット交換ネットワーク及び回線交換でインタフェースするメディア交換ノードを備えている通信ネットワークを表わす概略図。
【図４】回線及びパケット交換ネットワークにおける音声応答モードによるマルチメディア呼設定フローの概略図であり、ここでは、発呼端末はパケット交換端末であり、メディア交換ノードは回線交換とインタフェースしている。
【図５】回線交換ネットワークにおける被呼側による呼設定拒絶を伴うビデオ応答モードによるマルチメディア呼設定フローの概略図。
【図６】ビデオ呼を音声呼に変更する要求を伴うビデオ応答モードによるマルチメディア呼設定フローの概略図。
【図７】回線交換端末、回線交換Ｗ−ＣＤＭＡネットワーク及びパケット交換とインタフェースするメディア制御ノードを備えている通信ネットワークを表わす概略図。
【図８】パケット交換メディア交換ノードを有する回線交換ネットワークにおける被呼側による呼設定応答を伴う音声応答モードによるマルチメディア呼設定フローの概略図。
【図９】本発明によるメディア交換ノードを表わす概略図。
【図１０】呼設定のためにネットワーク・ノードにシグナリングする様に構成された所定のキーを備える端末の概略図。
【図１１】被呼端末の応答と呼設定のメディア形式とに関連する交換動作方式を表わす概略図。
【発明を実施するための形態】
【００２６】
マルチメディア通信のための３Ｇ−３２４Ｍとセッション開始プロトコル（ＳＩＰ）の標準化努力によって、ネットワークと端末がお互いに接続され、これらの標準に基づいて動作可能である場合、音声及びビデオ・メディアを含む通信を行うことは通常の特徴と看做されている。
【００２７】
この説明において、用語“音声”又は“音声呼”は、音声チャネルが確立されているということを意味し、用語“ビデオ”又は“ビデオ呼”は、ビデオ・チャネル及び音声チャネルが確立されているということを意味する。
【００２８】
ビデオ及び音声コンテンツは、それぞれビデオ及び音声チャネルを介してストリームとして転送される。単語“ストリーム”は、単一の任意の方向又は双方向のストリームを含むものとして理解されるべきである。
【００２９】
用語“マルチメディア”は、２つ以上のメディアを示すものと理解されるべきである。この説明では、ビデオ呼設定と、音声及びビデオ・ストリームを含む確立されたビデオ呼をマルチメディア呼の例として使用する。マルチメディア・デバイスは、音声及びビデオ・ストリームの様な２つ以上のメディアを同時に処理可能である。
【００３０】
ＣＳ（回線交換）技術環境で使用する共通用語の動詞として、用語“呼を設定する”、“呼設定”又は単に“呼”は、この説明では、ＰＳ（パケット交換）技術環境で使用する共通用語としての用語“メディア・セッションを設定すること”に等しいと看做される。“呼を設定すること”及び“メディア・セッションを設定すること”は、成功すれば関連するエンティティ間の通信接続をもたらす、という初期化ステップを意味する。
【００３１】
名詞としての単語“呼”は、確立したチャネルを意味し、一般的には受け入れた呼設定から生じる。名詞としての呼は、多数の区間が存在する以下のこの説明に適用可能であるように、呼区間と看做される。
【００３２】
接続は、２個の終端点間でサポートされなければならない特定のストリームに適したチャネルとして実現される。単一のチャネルは、複数の呼区間又は接続装置に沿って提供され得る。
【００３３】
当事業者には通信デバイスとしても知られている端末は、有線又は無線であり得る。無線端末の実装例は、ユーザ装置（ＵＥ）、移動局（ＭＳ）、移動若しくは無線電話、又は移動コンピュータである。
【００３４】
本発明は、呼のアクセス及び交換のための広帯域符号分割多重接続（Ｗ−ＣＤＭＡ）ネットワーク内で動作する移動端末の適用によって説明されるが、本発明は、ＴＤ−ＳＣＤＭＡの様な他の移動ネットワーク又は公衆電話交換網（ＰＳＴＮ）の様な固定ネットワークにも適用可能である。
【００３５】
実施形態では、ＳＩＰ及びＨ．２４５通信設定プロトコルの両方が使用される。これらのプロトコルは、単に、利用可能な電気通信製品で本発明を実現するための例として使用される。
【００３６】
図１においては、端末１０１、１０２を含む第１の無線環境１００に接続するＷ−ＣＤＭＡアクセス及びＷ−ＣＤＭＡネットワーク１１０が概略的に示されている。接続１４１、１４２は、Ｗ−ＣＤＭＡネットワーク１１０及び無線環境１００との接続を構成する。
【００３７】
図１は、接続１３１、１３２及び１３３によりＷ−ＣＤＭＡネットワーク１１０に接続される新たなノード１２０をさらに示している。Ｗ−ＣＤＭＡネットワーク１１０は、移動交換局（ＭＳＣ）ノード１１０Ａ及び１１０Ｂの様な交換ネットワーク・ノードを備えている。
【００３８】
新たなノード１２０は、音声及びビデオ・チャネルを交換可能な制御、ゲートウエイ及び交換機能を備えている。音声及びビデオ・チャネルを接続可能なノード１２０が備えている、結合したゲートウエイ及び交換機能は、この説明において、メディア交換エンティティ又は“ビデオ・ゲートウエイ”（ＶｉＧ）と呼ぶ。
【００３９】
また新しいノード１２０が備えるメディア制御エンティティを、この説明では、“音声／ビデオ制御機能を伴うビデオ呼設定”と記載し、この説明では“ＶｉＶｏ”と略称し、総ての更なる実施形態で適用する。ＶｉＶｏはＶｉＧを制御する様に構成され、ＶｉＧはＶｉＶｏにシグナリング情報を提供する様に構成される。ノード１２０は、総ての実施形態に適用可能であり、本説明においては、説明する機能に依存して、ＶｉＶｏ１２０Ａ及びＶｉＧ１２０Ｂを含むＶｉＧ＋ＶｉＶｏ１２０として示される。ＶｉＧ＋ＶｉＶｏ１２０の機能は、幾つかのネットワーク・ノードによって、又は、分散型ネットワーク・サービスとして設けられるか、或いは、移動交換局１１０Ａ、１１０Ｂとしてネットワーク・ノードに統合される可能性がある。
【００４０】
図は、個別のエンティティとしてＷ−ＣＤＭＡネットワーク交換ノード１１０Ａ及び１１０Ｂを含むが、説明を容易にするため、ノード１１０Ａ及び１１０Ｂが実行する交換動作は、Ｗ−ＣＤＭＡネットワークの交換動作として記載される。
【００４１】
図１及び他の図は、本発明を説明するために必要な関心事に焦点を当て、それ故に、説明の助けになると考えられないネットワーク・エンティティについては、本説明で示されないばかりでなく、言及もされない。
【００４２】
例として、例えばノードＢとしても知られる、例えば、基地局を有する無線環境１００のネットワーク・エンティティについては示されていない。
【００４３】
図２は、図１に示すネットワーク要素を使用しての、本発明によるビデオ呼設定フローを示している。
【００４４】
ビデオ・メディアを適用する通信セッションの設定２０１で、ここではビデオ呼設定と示しているが、ビデオ・チャネル及び音声チャネルの両方が、ビデオ呼設定への応答により確立される。呼設定に応答後、被呼端末１０２のラウド・スピーカが作動し、発呼端末１０１からの音声を出力し、被呼端末１０２から取得した音声は、音声チャネルにより発呼端末１０１に送信される。
【００４５】
しかしながら、本発明は、通信の観点から、音声チャネルと比較してビデオ・チャネルには異なる処理を提供する。
【００４６】
ＶｉＧ＋ＶｉＶｏ１２０が実行する新しい呼終端サービスは、被呼端末１０２が現在呼出しを許容しているメディア形式を示す変数として実現される情報を含むデータベースを維持する。この変数を、以後、“応答モード変数”と呼ぶ。総ての実施形態において、応答モード変数は、“ビデオ呼設定を音声呼設定として受信”、“ビデオ呼設定をビデオ呼設定として受信”のどちらかを含み、よって、被呼端末の応答モードは“音声”又は“ビデオ”となる。
【００４７】
発呼端末１０１がビデオ呼設定を初期化２０１する場合、ビデオ呼設定要求は、Ｗ−ＣＤＭＡネットワーク１１０によってＶｉＧ＋ＶｉＶｏ１２０に転送される。通信ネットワークの運用者により、Ｗ−ＣＤＭＡネットワーク１１０は、総てのビデオ呼設定をＶｉＧ＋ＶｉＶｏ１２０に転送するか、被呼端末１０２のユーザが、本発明に基づいて、到来するビデオ呼設定のビデオ又は音声の選択的な応答を可能にするサービスに加入している場合にのみ、ビデオ呼設定をＶｉＧ＋ＶｉＶｏ１２０に転送する。後者の方法の実現は、例えば、ＭＳＣ１１０Ａによる被呼端末１０２の加入者のサービス・プロファイルのために、Ｗ−ＣＤＭＡネットワーク１１０が備えるホーム・ロケーション・レジスタ（ＨＬＲ）ノードに要求することにより可能となる。
【００４８】
ＶｉＧ＋ＶｉＶｏ１２０は、転送された、被呼端末１０２のアドレスを含むビデオ呼設定要求を受信２０２する。被呼端末１０２のアドレスは、被呼側の移動局統合デジタルサービス通信網番号（ＭＳＩＳＤＮ）であり得る。その後、本アドレスは、被呼端末１０２に関連する応答モード変数をデータベースから選択２０３するために、ＶｉＧ＋ＶｉＶｏ１２０によって適用される。応答モード変数を選択２０３した後、ＶｉＧ＋ＶｉＶｏ１２０は、被呼端末１０２に関連する応答モード変数が示す音声又はビデオ・メディア形式の後続の呼を設定する様にＷ−ＣＤＭＡネットワーク１１０に指示２０４する。ここでの説明は、総ての実施形態に対して、メディア音声及びビデオを適用するが、テキスト、データ又はファックスの様なその他のメディアにも等しく適用可能である。例として、ビデオ・メディアは、３Ｇ−３２４Ｍ標準に基づいて実装される。
【００４９】
もし被呼端末に関連する応答モード変数が、“音声呼設定としてビデオ呼設定を受信する”様に設定されているなら、ＶｉＧ＋ＶｉＶｏ１２０は、ＶｉＧ＋ＶｉＶｏデータベースに用意されている、被呼端末１０２がサポートする、例えば、３Ｇ−３２４Ｍのオプションの音声及びビデオ・コーデックのリストを選択的に取得する。ＶｉＧ＋ＶｉＶｏと発呼端末１０１との間のビデオ呼のためのコーデックを交渉する場合、ＶｉＧ＋ＶｉＶｏ１２０は、コーデックのこのリストを使用する。この様に、コーデックの選択は、例えば、ビデオ呼のための３Ｇ−３２４Ｍにおける強制的なデフォルト・コーデックの選択より高い品質レベルにすることができる。即ち、ＶｉＧ＋ＶｉＶｏデータベースの応答モード変数が、“ビデオ呼設定としてビデオ呼設定を受信する”様に設定されている場合における、被呼端末１０２自身がビデオ呼を交渉している場合と同じコーデックが使用されるであろう。
【００５０】
呼設定応答制御機能としてＶｉＧ＋ＶｉＶｏ１２０を適用することにより、応答モード変数の設定及び被呼端末１０２のユーザの応答動作に基づき、ビデオ呼の設定が幾つかの方法で応答させる便利なツールを被呼端末１０２のユーザは具備する。
【００５１】
公衆の面前でビデオ呼設定に応答する場合、被呼端末１０２のデスプレイに表示される状況は、他の者に対して被呼端末１０２のデスプレイを覆うことが常に可能ではない場合にはプライバシ侵害の対象であるので、プライバシ侵害と看做される可能性がある。
【００５２】
応答モード変数が、“音声呼設定としてビデオ呼設定を受信する”を示す様に設定されている場合、ＶｉＧ＋ＶｉＶｏ１２０は、被呼端末１０２に対して、ビデオ呼設定要求２０２で示されたアドレスに、メディアとしての音声呼のために、後続の呼を設定する様にＷ−ＣＤＭＡネットワーク１１０に指示２０４する。
【００５３】
続いて、Ｗ−ＣＤＭＡネットワーク１１０は、音声呼プロトコルに基づいて、例えば、シグナリング・システム７（ＳＳ７）プロトコルの初期応答メッセージ（ＩＳＭ）で、被呼端末１０２を呼び出す２０５。被呼端末１０２が応答２０６Ａする場合、Ｗ−ＣＤＭＡネットワーク１１０は、応答メッセージをＶｉＧ＋ＶｉＶｏ１２０にシグナリングし、続いて、初期のビデオ呼設定要求２０１に応答して、Ｗ−ＣＤＭＡネットワーク１１０に応答メッセージをシグナリング２０６Ｂする。
【００５４】
この図及び後続の図における略語ＡＣＭ及びＡＮＭはそれぞれ、応答完了メッセージ及び応答メッセージを表し、呼設定２０４の受諾を表わす。
【００５５】
両方の応答メッセージ２０６Ａ＆２０６Ｂの後、Ｗ−ＣＤＭＡネットワーク１１０は、ビデオ及び音声チャネルで発呼端末１０１をＶｉＧ１２０に接続する。続いて、ＶｉＶｏ１２０Ａは、発呼端末１０１と被呼端末１０２の音声チャネルを互いに接続２０７する様にＶｉＧに指示する。
【００５６】
効果的に、音声に対する伝送チャネルが、ＶｉＶｏ１２０Ａの制御下でＶｉＧ１２０Ｂを経由して、発呼端末１０１と被呼端末１０２との間に確立される。略語ＡＭＲ及びＴＤＭはそれぞれ、適応型マルチ・レート・コーデック及び時分割多重を表す。
【００５７】
ＶｉＧ１２０Ｂは、ＰＳ及びＣＳネットワークへの接続を持ち、端末１０１、１０２のうちの１つがＰＳドメインに属し、他の端末がＣＳドメインに属するという状況を可能にする。
【００５８】
上述した場合において、発呼端末１０１で生成されるビデオ・ストリームは、被呼端末１０２が応答２０６Ａする場合、ＶｉＧ＋ＶｉＶｏ１２０で廃棄されるであろう。しかしながら、発呼端末１０１のユーザは、被呼端末１０２のユーザが事前に決定し、ビデオ・ソースに保存したビデオ・ストリーム又は画像でサービスを受ける。この方法で、発呼端末１０１は、発呼端末１０１のユーザに関係する一般的ビデオ・コンテンツ又は個人的ビデオ・コンテンツを提供され得る。オプションとして、発呼端末１０１には、例えば、唇、口又は顔の動きが、被呼端末１０２により提供される音声・ストリーム２０７と同期する、例えば、人間の頭を表わす所定のアバタが提供される。ビデオ・ソースから発呼端末１０１へのビデオ・ストリーム又は画像を提供することは、個人挨拶サービスと看做される。
【００５９】
ＶｉＧ１２０を制御する、ＶｉＶｏ１２０Ａは、例えば、被呼端末１０２が生成するデュアル・トーン・マルチ周波数（ＤＴＭＦ）シグナリングにより、例えば被呼端末１０２のユーザからのサービスに対する追加の要求を検出する様に構成される。ネットワーク構成のトポロジの結果として、ＶｉＧ＋ＶｉＶｏ１２０は、呼設定２０７期間中、被呼端末１０２の所定のＤＴＭＦシグナリング２０８Ａを検出することが可能である。
【００６０】
所定のＤＴＭＦシグナリングを検出すると、ＶｉＶｏ１２０Ａは、ＶｉＧ１２０Ｂと被呼端末１０２との間の現在の音声接続を解放する様にＷ−ＣＤＭＡネットワーク１１０に指示し、ビデオ接続のため、被呼端末１０２に新しい後続の呼を設定２０８Ｃする様にＷ−ＣＤＭＡネットワーク１１０に要求する。
【００６１】
略語ＲＥＬ及びＲＬＣは、解放メッセージ及び解放完了メッセージをそれぞれ表す。
【００６２】
被呼端末１０２が、又は、被呼端末１０２で実行するクライアント・アプリケーションが、ビデオ呼設定を受諾２０８Ｄすると、ＶｉＧ＋ＶｉＶｏ１２０と被呼端末１０２との間に、Ｗ−ＣＤＭＡネットワーク１１０により確立される第２のビデオ・チャネルをもたらすことになる。
【００６３】
続いて、ＶｉＶｏ１２０Ａは、ステップ２０７で、発呼端末１０１とＶｉＧ＋ＶｉＶｏ１２０との間に確立した第１のビデオ・チャネルを、ステップ２０９でＶｉＧ＋ＶｉＶｏ１２０と被呼端末１０２との間に確立した第２のビデオ・チャネルに接続する様にＶｉＧ１２０Ｂに指示する。ＶｉＧ１２０を経由して発呼端末１０１と被呼端末１０２との間にビデオ及び音声チャネルが効果的に確立される。
【００６４】
同様に、発呼端末１０１とビデオ呼を持つ被呼端末１０２のユーザは、自分のプライバシが危険にさらされるような区域に入った場合、発呼端末１０１がＶｉＧ＋ＶｉＶｏ１２０へのビデオ呼を維持する間に、音声呼に戻ることを開始し、その後、所定のキーを押してビデオ呼に戻ることができる。
【００６５】
被呼端末１０２での所定のキー、専用のキー又は例えば＃５や所定のシーケンスのキーといったキーボードのキーは、ビデオから音声へ、又はその逆へと、現在の接続を交換するために定義される。被呼端末のためにビデオから音声への交換を説明する図６を参照のこと。
【００６６】
被呼端末１０２によるビデオから音声又はその逆の交換２０８Ｂ−２０８Ｄの間、被呼端末１０２の交換動作の間、確立されたビデオ・チャネル２０７は維持されるので、発呼端末に所定のビデオ・ストリームを表示する様にＶｉＧ＋ＶｉＶｏ１２０は構成され得る。所定のビデオ・ストリームは、被呼端末１０２でのユーザが音声又はビデオ・メディアのどちらかに交換実行しているということを発呼端末１０１のユーザに知らせるコンテンツを有し得る。
【００６７】
データベースで維持される応答モード変数は、被呼端末１０２のユーザの制御下にあり、サービス番号を呼び出すことにより、又は、インターネット経由により、“音声呼設定としてビデオ呼設定を受信する”又は“ビデオ呼設定としてビデオ呼設定を受信する”に変更され、インターネット経由の場合には、確認手段を有するポータルにより、ユーザは、現在の応答モードを確認して変更することができる。
【００６８】
上記で説明した方法では、被呼端末１０２のユーザは、到来するビデオ呼設定に音声呼設定として応答可能であり、ビデオ又は再度音声メディアへと戻る交換を、単純な手段で提供することができる。
【００６９】
音声のための呼設定が拒絶された場合に起こるが、被呼端末１０２のユーザが、到来する呼設定を拒絶し、その結果、その呼が被呼端末１０２のユーザのメール・ボックスで終端されなければならない場合、適用可能な二つの代替案がある。
【００７０】
Ａ）Ｗ−ＣＤＭＡネットワーク１１０は、被呼端末１０２のユーザのメール・ボックスに呼設定を転送する。ビデオ又は音声能力を有するユーザのメール・ボックスが、ＶｉＧ１２０Ｂを制御するＶｉＶｏ１２０Ａに接続可能であるという条件下で、Ｗ−ＣＤＭＡネットワーク１１０が後続の呼設定２０４、２０５をＶｉＧ＋ＶｉＶｏに戻るループとするであろう。
【００７１】
もし端末１０２へ送出する後続の呼設定２０４、２０５が、被呼端末１０２のＭＳＣ１１０Ｂが転送したメール・ボックスへの到来呼設定に対応する、ということをＶｉＶｏ１２０Ａが検出する場合、ＶｉＶｏ１２０Ａは、ＭＳＣ１１０Ｂに呼設定の解放をシグナリングする。ＶｉＶｏ１２０Ａは、被呼端末１０２のユーザのためのメール・ボックス能力を読み出すために、呼設定を生成したＭＳＣ１１０Ｂから読み出した宛先識別子を活用する。この代替案では、被呼側のメール・ボックスの形式に依存して、ＶｉＶｏ１２０Ａは以下の様に構成される。
１）被呼側がビデオ・メール・ボックスを持つ場合。ＶｉＶｏ１２０Ａは、このビデオ・メール・ボックスへのビデオ呼設定を開始する様にＷ−ＣＤＭＡネットワーク１１０に指示し、続いて、ビデオ・ゲートウエイを経由したメール・ボックス呼として、発呼端末１０１とこのビデオ・メール・ボックスとの間にビデオ・チャネル及び音声チャネルを接続する様にＶｉＧ１２０Ｂに指示する。
２）被呼側が音声メール・ボックスを持つ場合。ＶｉＶｏ１２０Ａは、この音声メール・ボックスへの音声呼設定を開始する様にＷ−ＣＤＭＡネットワーク１１０に指示し、続いて、ゲートウエイ・エンティティ経由のメール・ボックス呼として、発呼端末１０１とこの音声メール・ボックスとの間に音声チャネルを接続する様にＶｉＧ１２０Ｂに指示する。
【００７２】
Ｂ）Ｗ−ＣＤＭＡネットワーク１１０は、ＶｉＶｏ１２０Ａに呼設定を転送しないが、被呼端末１０２の拒絶を、ＶｉＶｏ１２０Ａにシグナリングする。ビデオ又は音声能力を有するユーザのメール・ボックスがＶｉＧ１２０Ｂを制御するＶｉＶｏ１２０Ａに接続可能であり、そして、ＶｉＶｏ１２０Ａが、被呼端末１０２のユーザのメール・ボックスの宛先識別子及び能力を読み出す様に構成されているという条件下で、上記代替案Ａ）で述べたメール・ボックスの代替案１）及び２）は、呼設定の残りに適用可能である。
【００７３】
交換動作、及び、ビデオ・メール・ボックスの場合では帯域幅配分の削減からＷ−ＣＤＭＡネットワーク１１０を解放する直接的なインタフェースを提供するよう、ＶｉＧ＋ＶｉＶｏ１２０及び１つのネットワーク・エンティティのメール・ボックスを実現することは、選択肢である。さらに、ビデオ・リング−バック・トーン又は個人的挨拶のアプリケーションは、ＶｉＧ＋ＶｉＶｏ１２０で選択的に実現され、リング−バック・トーンのコンテンツのためのソース情報は、発呼端末１０１に出力するのに、ＶｉＧ＋ＶｉＶｏ１２０がローカルに利用可能である。 
【００７４】
図３は、回線及びパケット交換端末、回線交換Ｗ−ＣＤＭＡネットワーク、パケット交換ネットワーク及び回線交換とインタフェースするメディア交換ノードを備えている通信ネットワークを表わす概略図である。
【００７５】
図１に加えて、図３は、シグナリングとメディアの伝達のため、ＳＩＰ及びリアルタイム転送プロトコル（ＲＴＰ）を適用する発呼端末１０５を示している。ＳＩＰ端末１０５は、ＰＳ通信技術を対象とし、Ｗ−ＣＤＭＡネットワーク１１０のアクセス・ネットワーク部分による接続１７３経由でサポートされ、端末環境を表わす無線環境１００Ａの一部である。ＳＩＰ端末１０５が固定デバイスである場合、接続１７４は、インターネット１６０への接続としても使用できる。
【００７６】
Ｗ−ＣＤＭＡネットワーク１１０は、インターネット１６０へのブレイクアウト接続１７１を持ち、その結果、ＳＩＰ端末１０５は、インターネット１６０が備えるインターネット・マルチメディア・サブシステム（ＩＭＳ）ネットワーク１６０Ａに接続することができる。ＳＩＰ端末１０５とＩＭＳネットワークとの間のＷ−ＣＤＭＡネットワーク１１０のアクセス部分内の接続を、接続１７２で概略的に表わす。
【００７７】
ＩＭＳネットワーク１６０Ａは、典型的には、プロキシ呼セッション制御機能（Ｐ−ＣＳＣＦ）、インタロゲーティング呼セッション制御機能（Ｉ−ＣＳＣＦ）及びサービング呼セッション制御機能（Ｓ−ＣＳＣＦ）のような呼を確立するために、ＩＭＳエンティティを備える。
【００７８】
メディア・ゲートウエイ（ＭＧＷ）機能１５０は、個別のネットワーク・エンティティとして提供され、接続１６５及び１６６によりインターネット１６０と接続し、回線交換型接続１３１Ａ、１３２ＡでＷ−ＣＤＭＡネットワーク１１０及びＶｉＧ＋ＶｉＶｏ１２０に接続する。
【００７９】
図３に示す構成により、図４の説明で明らかにする様に、ＰＳ型端末１０５がＣＳ型端末１０２にビデオ呼を設定することが可能になる。
【００８０】
図４は、ＣＳ及びＰＳネットワークにおける音声応答モードに基づく、マルチメディア呼設定フローの概略図であり、図３に示した様に、発呼端末はＰＳ端末であり、メディア交換ノードはＣＳにインタフェースする。
【００８１】
図２に加えて、図４は、図２に示したネットワーク要素を使用して、本発明に基づくビデオ呼設定のステップを概略的に示し、発呼端末１０５は、シグナリング及びメディア伝達のためにＳＩＰ及びＲＴＰを適用するＳＩＰ端末である。
【００８２】
ＣＳ技術形式の被呼端末１０２に向けて、発呼ＳＩＰ端末１０５がビデオ呼設定を初期化する場合、Ｗ−ＣＤＭＡネットワーク１１０のアクセス部分は、接続１７３を経由して要求を受信し、接続１７２として概略的に示すが、接続１７１を経由してＩＭＳネットワーク１６０Ａに本要求を転送する。
【００８３】
ＩＭＳネットワークは、呼がインターネット１６０の外部のＣＳ端末に設定されるべきであると決定し、接続１６６を経由してＭＧＷ１５０に対応する呼設定要求を提示する。ネットワークの構成に依存して、呼設定要求は、ＭＳＣ又はゲートウエイＭＳＣ（ＧＭＳＣ）１１０Ａの様な、Ｗ−ＣＤＭＡネットワーク１１０の予め定めた宛先のネットワーク交換エンティティに転送される、或いは、ＩＭＳネットワーク１６０ＡがＶｉＧ＋ＶｉＶｏ１２０のアドレスの知識を持っている場合、メディア・ゲートウエイ・エンティティ１５０は、ＶｉＧ＋ＶｉＶｏ１２０をアドレス指定する。後者の場合、被呼端末１０２のユーザが、本発明に基づいて、到来するビデオ呼設定の選択的なビデオ又は音声応答を可能にするサービスに加入しているかいないかに拘わらず、呼設定要求をＶｉＧ＋ＶｉＶｏ１２０に送るであろう。
【００８４】
図４は、呼設定要求４０１ＡがＭＧＷ１５０により、Ｗ−ＣＤＭＡネットワーク１１０が備えるＧＭＳＣとして動作する、ＭＳＣ１１０Ａに送られる状況を示しているが、ＭＳＣ１１０Ａは、ＶｉＧ＋ＶｉＶｏ１２０に対応するサービス番号の知識を持っている。
【００８５】
繰り返すと、通信ネットワークの運用者により、総てのビデオ呼設定がＶｉＧ＋ＶｉＶｏ１２０に転送され、或いは、本発明に従い到来するビデオ呼の選択的ビデオ又は音声応答を可能にするサービスに、被呼端末１０２のユーザが加入している場合、ビデオ呼設定のみがＶｉＧ＋ＶｉＶｏ１２０に転送される。後者の方法の実現は、例えば、ＭＳＣ１１０Ａにより本サービスに加入している被呼端末１０２のユーザのサービス・プロファイルをＨＬＲに要求することにより可能となる。ＨＬＲは、Ｗ−ＣＤＭＡネットワーク１１０のノードである。
【００８６】
動作４０２、４０３、４０４、４０５、４０６Ａ及び４０６Ｂは、上述した図２の動作２０２、２０３、２０４、２０５、２０６Ａ及び２０６Ｂと同じである。
【００８７】
接続メッセージを受信４０６Ｂした後、ＭＧＷ１５０は、最初の呼設定要求４０１Ａに応答して、ＳＩＰ端末１０５をＶｉＧ１２０に接続する。続いて、ＶｉＶｏ１２０Ａは、両方の接続の音声チャネルを互いに接続する様にＶｉＧ１２０Ｂに指示し、ステップ４０７で、ＲＴＰ、Ｈ．２２３及びＴＤＭプロトコルを含む伝送路であっても、被呼端末１０２に向けて発呼ＳＩＰ端末１０５との間に音声チャネルを確立する。
【００８８】
被呼端末１０２が交換しているか音声接続を持っている場合に、既に議論したビデオ・ストリームの出力は別として、機能的には、音声とビデオとの間の交換の残りのステップ４０８Ａ、４０８Ｂ、４０８Ｃ、４０８Ｄ及び４０９は、発呼端末１０５に全く影響を持たない。ステップ４０８Ａ、４０８Ｂ、４０８Ｃ、４０８Ｄ及び４０９は、図２で議論したステップ２０８Ａ、２０８Ｂ、２０８Ｃ、２０８Ｄ及び２０９に等しい。
【００８９】
図２で既に説明したように、ここでまた、接続の間、音声からビデオへ、或いは、その逆への交換のために、所定のキー、専用のキー又は例えば＃５のキー又は被呼端末１０２でのキーの所定のシーケンスといったキーボードのキーを定めるべきである。被呼端末１０２のためのビデオから音声への交換に関する詳細については、図６を参照のこと。
【００９０】
図５は、ＣＳネットワークにおいて、被呼側による呼設定拒絶を伴うビデオ応答モードに基づくマルチメディア呼設定フローの概略図である。
【００９１】
図５は図１で示したネットワーク構成を適用しており、呼設定を拒絶することにより、被呼端末１０２がビデオ・メディアのために呼び出された呼設定に応答する場合のフローを示している。最先端の端末は、呼設定を停止すべきであるということをＷ−ＣＤＭＡネットワーク１１０にシグナリングするため、“いいえ”又は“拒絶”ボタンを適用することができる。
【００９２】
本発明の観点からは、応答モード変数が表示する現在の応答モードに関連して、拒絶動作は異なる効果を持つ。
【００９３】
Ａ）マルチメディア呼設定は、被呼端末１０２の応答モード変数により、ビデオ呼設定として呼び出すべきである。
【００９４】
ステップ５０１及び５０２として示した、発呼端末１０１によるビデオ呼設定は、図２のステップ２０１及び２０２に等しい。図２に示した方法と異なるように、呼設定が被呼端末１０２に対してビデオ呼設定として初期化されなければならないということを、応答モード変数が示す５０３場合、ＶｉＶｏ１２０Ａは、ビデオ呼設定に対応する呼出し５０５で被呼端末１０２を呼び出すようＷ−ＣＤＭＡネットワーク１１０に指示する。
【００９５】
この場合、被呼端末１０２のユーザは、例えば“いいえ”ボタン又は、到来するビデオ呼を音声呼に交換する様に適用された特別なボタンによって、呼設定を拒絶５０６Ａする。Ｗ−ＣＤＭＡネットワーク１１０は、拒絶５０６ＢをＶｉＶｏ１２０Ａにシグナリングし、続いて、ＶｉＶｏ１２０Ａは、呼の音声への交換が要求されているかを判定５０７し、被呼端末１０２に向けて、音声のための後続の呼設定をＷ−ＣＤＭＡネットワーク１１０により開始５０８する。
【００９６】
呼設定５０１〜５０５の間及びビデオ呼設定の拒絶５０６Ａ〜５１０の後、図２の説明で示した、個人挨拶サービスの様に、ビデオ・ストリームを発呼側に供給できる。
【００９７】
被呼端末１０２のユーザによる応答動作に対して、ＶｉＧ＋ＶｉＶｏ１２０に向けて接続をシグナリング５０９し、続いて、ＶｉＧ＋ＶｉＶｏ１２０は、最初の呼設定５１０に応答して、応答が生じたということを発呼端末１０１にシグナリングする。
【００９８】
Ｗ−ＣＤＭＡネットワークは、発呼端末１０１とＶｉＧ１２０との間に接続を確立し、ＶｉＧ＋ＶｉＶｏ１２０と被呼端末１０２との間に接続を確立する。ＶｉＶｏ１２０Ａは、両方の接続５１０をお互いに接続する様にＶｉＧ１２０Ｂに指示し、それによって、ＶｉＧ＋ＶｉＶｏ１２０を経由して、発呼端末１０１から被呼端末１０２に音声チャネルを確立する。
【００９９】
被呼端末１０２への音声チャネルを確立５１０した後、被呼端末１０２のユーザは、図２の参照符号２０８Ａ〜２０９に示す様に、ビデオ呼に切り替える様にＶｉＧ＋ＶｉＶｏ１２０に要求することができ、被呼端末１０２のユーザのプライバシ問題が求めるなら、図６の説明により、再度音声に戻ることができる。音声及びビデオ・モード間の切り替え得は、図２に示す様に実現できる。
【０１００】
Ｂ）マルチメディア呼設定は、被呼端末１０２の応答モード変数により音声呼設定として呼び出される。
【０１０１】
この場合、図２の説明で示した様に、音声接続は、被呼端末１０２に対する設定と同じ様になるが、被呼端末１０２のユーザの拒絶がある場合は、ＶｉＧ＋ＶｉＶｏ１２０は、最初のＭＳＣ１１０Ａに応答メッセージをシグナリングする。図２の説明は、拒絶された呼設定を処理するための二つの代替案を提供している。第一の代替案は、Ｗ−ＣＤＭＡネットワークの終端ＭＳＣ１１０Ｂは、ＶｉＶｏ１２０Ａへのループバックと共に被呼端末１０２に呼設定を転送するものであり、第二の代替案では、ＶｉＶｏは、被呼端末１０２の拒絶を検出する。
【０１０２】
両方の代替案は、図５で説明した場合に同じ様に適用可能である。
【０１０３】
図６は、ビデオ呼を音声呼に変更する要求を伴うビデオ応答モードによるマルチメディア呼設定の概略図である。この図６は、図１のネットワーク構成に適用されるステップのフローであることを意図しているが、本発明による必要な適応化により図３及び図７に関連して説明したネットワーク構成にも適用可能である。
【０１０４】
図６は、発呼端末１０１と被呼端末１０２との間の確立されたビデオ呼の初期状態６０１を示し、図２の参照符号２０９又は図４の参照符号４０９に示す手順の最終結果であり得る。
【０１０５】
被呼端末１０２のユーザが音声呼への切り替えを開始６０２することを決定した場合、所定のキー、専用のキー又は例えば＃５のキー又は一連のキーといったキーボードのキーが被呼端末１０２で押され、数字又は一連の数字が、Ｗ−ＣＤＭＡネットワーク１１０経由で音声チャネルによるＤＴＭＦシグナリングとして、ＶｉＧ＋ＶｉＶｏ１２０に送信６０３される。
【０１０６】
ＤＴＭＦシグナリングの受信６０３Ａにおいて、ＶｉＧ＋ＶｉＶｏは、受信したＤＴＭＦシグナリングが被呼端末１０２に対する音声メディアへの切り替え要求として予め決定されているものであるかをチェックする。ＶｉＧ＋ＶｉＶｏが音声への切り替えが正当に要求されていると判定する場合、ＶｉＧ＋ＶｉＶｏ１２０は、被呼端末１０２へのビデオ接続を解放６０３Ｂする様にＷ−ＣＤＭＡネットワーク１１０に指示する。
【０１０７】
ＶｉＧ＋ＶｉＶｏ１２０が、解放完了シグナリングを受信したと判定６０４した場合、ＶｉＧ＋ＶｉＶｏ１２０は後続の新しい呼設定を、音声メディアとして要求６０５する。被呼端末１０２から応答メッセージを受信６０６すると、Ｗ−ＣＤＭＡネットワーク１１０は、音声接続６０７を確立し、続いてＶｉＶｏ１２０Ａは、発呼端末１０２とＶｉＧ＋ＶｉＶｏ１２０との間の接続の音声チャネルを、ＶｉＧ＋ＶｉＶｏ１２０と被呼端末１０２との間に確立した新しい音声チャネルに接続する様にＶｉＧ１２０Ｂに指示する。
【０１０８】
被呼端末１０２の応答６０６は、例えば、ボタンを押すことにより実行され、或いは、被呼端末が備えるソフトウエア・クライアントにより自動的に実行される。
【０１０９】
オプションとして、発呼側は、ＶｉＧ＋ＶｉＶｏ１２０の制御下で、ビデオ・ソースから配信されるビデオ・コンテンツによって、交換動作６０１〜６０７の間に、図２の説明で示したのと同じ特徴により被呼端末１０２により知らされる可能性がある。
【０１１０】
呼の確立６０７の後に発呼端末１０２が生成するビデオ・ストリームは、ＶｉＧ＋ＶｉＶｏ１２０で放棄されるだろう。
【０１１１】
上記実施形態の何れかにおいて、接続２０７、２０９、４０７、４０９、５１０、６０１、６０７が被呼端末と発呼端末との間に確立されるところでは、メディア形式間の手順切り替えは、上記で明らかにしたように必要なだけ繰り返され得る。被呼端末１０２が初期化した応答の受信では、後続の呼は解放され、被呼端末１０２への更なる後続の呼が設定されるが、後続の呼及び更なる後続の呼は異なるメディア形式である。
【０１１２】
図７は、ＣＳ端末、ＣＳのＷ−ＣＤＭＡネットワーク及びＰＳにインタフェースするメディア制御ノードを備える通信ネットワークを表わす概略図である。
【０１１３】
図７は、図１のネットワーク構成に加えて、ＶｉＧ＋ＶｉＶｏ１２０の実施形態を示し、ＶｉＶｏ１２０Ａ及びＶｉＧ１２０Ｂの機能は、例えば図１及び３に示す様な一つのエンティティに結合されておらず、別々のエンティティとしての、メディア・ゲートウエイ交換機能１２０Ａ及び制御機能１２０Ｂを表わしている。ＶｉＶｏ１２０Ａは、パケット交換接続１２１及び１２２経由でＶｉＧ１２０Ｂに接続されている。インターネット又はイントラネットが接続１２１及び１２２を含む構成でも良い。
【０１１４】
ＶｉＶｏ１２０Ａ及びＶｉＧ１２０Ｂの結合機能は、前の図で説明したＶｉＧ＋ＶｉＶｏ１２０の機能と同一である。
【０１１５】
図８は、図７の構成によるＰＳメディア制御ノードを有するＣＳネットワークにおいて、被呼側による呼設定応答を伴う音声応答モードによるマルチメディア呼設定フローの概略図である。
【０１１６】
図８は、被呼端末１０２に向けての発呼端末１０１によるビデオ呼設定のための詳細なシグナリング・フローであり、呼設定は、図２に相当する音声呼設定として、被呼端末の応答モード変数により応答され、ＶｉＶｏ１２０ＡとＶｉＧ１２０Ｂとの間のシグナリングも示している。
【０１１７】
時間に関する信号フローとして、本発明をより明らかに提示するため、ＶｉＧ１２０Ｂを２回示している。
【０１１８】
ＶｉＧ１２０Ｂは、分散型エンティティとして実現されても良く、シグナリング及びメディア・トラスポートそれぞれのためのＳＩＰ及びＲＴＰプロトコルにより通信している。ＶｉＧ１２０Ｂが単一のエンティティである場合、有線接続又は専有接続の解決策が適用される。
【０１１９】
発呼端末１０１によるビデオ呼設定の初期化８０１では、Ｗ−ＣＤＭＡネットワーク１１０経由でＶｉＧ１２０Ｂに呼設定要求メッセージを送り、ＶｉＧ１２０Ｂは、ＳＩＰのＩＮＶＩＴＥメッセージとしてＶｉＶｏ１２０Ａに要求を送信する。ＶｉＶｏ１２０Ａは、図２の説明と同様に、被呼端末１０２の現在の応答モードを検査し、応答モードが“音声”である場合、Ｗ−ＣＤＭＡネットワーク１１０が後続の音声呼設定８０５のために被呼端末１０２を呼出す様に、必須のコーデックを含むセッション記述プロトコル（ＳＤＰ）セッション記述子（ＳＤ）識別子を有するＳＩＰのＩＮＶＩＴＥをＶｉＧ１２０Ｂに返送する。被呼端末１０２は、Ｗ−ＣＤＭＡネットワーク１１０及びＶｉＧ１２０Ｂ経由でＶｉＶｏ１２０Ａに呼出し動作をシグナリングにより返す。ＶｉＧ＋ＶｉＶｏ１２０Ａは、呼設定が進行中であるということを被呼端末１０１に知らせる。続いて、コーデック・データの交換８０６の様に、ビデオ・チャネルの準備が実行され、一時的に承認８０６Ｂされ、ビデオ及び音声チャネルが確立８０６Ｃされる。一時的承認８０６Ｂは、発呼端末１０１及び使用されるＶｉＧ１２０Ｂのセッション記述情報を含むかもしれない。確立されたビデオ及び音声チャネル８０６Ｃは、ＶｉＶｏ１２０Ａの制御下で、発呼端末１０１にソースからのビデオ及び音声データの配信に使用される。
【０１２０】
被呼端末１０２のユーザが呼出しを受けた後続の呼設定８０５に応答８０７Ａする場合、接続メッセージがＷ−ＣＤＭＡネットワーク１１０及びＶｉＧ１２０Ｂ経由でＶｉＶｏ１２０Ａに送られ、ＶｉＶｏ１２０Ａは、最初の呼設定８０１に応答して、ＶｉＧ１２０Ｂ及びＷ−ＣＤＭＡネットワーク１１０経由で、発呼端末１０１に応答をシグナリングする。
【０１２１】
応答メッセージ８０６Ｂに対応するＳＩＰ応答メッセージは、ＶｉＶｏ１２０Ａが使用するべき、被呼端末１０２及びＶｉＧ１２０Ｂのセッション記述情報を含むかもしれない。
【０１２２】
示された手順では、この時点において、Ｗ−ＣＤＭＡネットワーク１１０は、発呼端末１０１とＶｉＧ１２０Ｂとの間にビデオ及び音声チャネルを確立するための情報を持ち、そしてＶｉＧ１２０Ｂと被呼端末１０２との間に音声チャネルを確立するための情報を持つことになる。
【０１２３】
ＶｉＶｏ１２０Ａが、ｒｅ−ＩＮＶＩＴＥメッセージにより、両方の音声チャネルを接続する様にＶｉＧ１２０Ｂに命令８０８Ａ、８０８Ｂする場合、音声接続８０９Ａ、８０９Ｂ、８０９Ｃが発呼端末１０１と被呼端末１０２との間に確立される。ｒｅ−ＩＮＶＩＴＥメッセージ８０８Ａ及び８０８Ｂは、反対のメディア交換機能及び端末１０２、１０１のセッション記述情報を含んでいる。
【０１２４】
図９は、本発明によるメディア制御、交換及びゲートウエイ・ノードを表わす概略図である。
【０１２５】
ＶｉＧ＋ＶｉＶｏ１２０は、オペレーティング・システムとアプリケーション・ソフトウエアとを実行するための処理ユニット１２１と、シグナリングのメッセージの通信及びメディア交換のための入力／出力（Ｉ／Ｏ）ユニット１２２Ａ及び１２２Ｂを備えている。
【０１２６】
入力／出力（Ｉ／Ｏ）ユニット１２２Ａは、接続１６１経由でのインターネット及び回線交換ネットワークとの通信手段として、処理ユニット１２１に通信可能なように接続され、メッセージ及び命令を送受信する様に適応された接続１３１によるＷ−ＣＤＭＡネットワーク１１０として接続されている。
【０１２７】
入力／出力（Ｉ／Ｏ）ユニット１２２Ｂは、接続１６２経由でインターネットに、そしてＶｉＧ１２０Ｂとも呼ばれるゲートウエイ交換機能に、通信可能な様に接続されている。Ｉ／Ｏユニット１２２Ｂは、メディア・トラスポートのために構成された接続１３２及び１３３により、Ｗ−ＣＤＭＡネットワーク１１０として、接続１６２を経由してインターネットと回線交換ネットワークに接続されている。
【０１２８】
ＶｉＧ１２０Ｂは、処理ユニット１２１で表わされている、ＶｉＶｏ１２０Ａの制御下にあり、ＰＳ及びＣＳ環境との間でも、メディアを交換する様に構成されている。
【０１２９】
処理ユニットは、決定論理、タイミング論理を備え、プログラム・ステップ又は変数を保存し読み出すために内部メモリに接続されている。
【０１３０】
ＶｉＧ＋ＶｉＶｏ１２０は、例えばインターネット経由でＶｉＧ＋ＶｉＶｏに提供される場合の被呼端末に対応する、応答モード変数を保存するよう構成された保存ユニット１２４を更に備えている。ＶｉＧ＋ＶｉＶｏは、ステップ２０３、４０３、５０３及び８０３で、対応する応答モード変数を選択する様に構成された選択ユニット１２５を更に備えている。保存ユニット１２４及び選択ユニット１２５は、両方ともデータベース１２３に通信可能な様に接続されており、データベース１２３は、被呼端末１０２に関連する応答モード変数を有し、呼設定の間や、被呼端末１０２が初期化する、音声とビデオとの間の接続の切り替えの間に発呼端末１０１、１０５にて再生されるビデオ又は音声リング・バック・トーンを含むこともできる。データベースは、被呼端末１０２が使用中の場合、応答しない場合、或いは、音声の到来する呼設定をユーザが拒絶する場合、ビデオ・メール・ボックスとして動作する様に構成され得る。
【０１３１】
上記の例では、ＶｉＶｏ１２０Ａのデータベース１２３に保存された、応答モード変数は、被呼端末１０２のユーザの特定の動作により変更される。現在の設定を適用することは選択肢であり、所定のキー又は一連のキーにより交換る場合、次の呼設定が最後に使用した応答モードを持つ様に、保存ユニット１２４が保存するために、接続の間に変更される可能性がある。
【０１３２】
ＶｉＶｏ＋ＶｉＧ１２０を、ネットワーク１１０における個別のエンティティとして図１、３及び７に示して説明したが、シグナリング、業務計画、保守又は生産に関する効率性の理由で、ＶｉＶｏ＋ＶｉＧ１２０又はその構成要素であるＶｉＶｏ１２０Ａ又はＶｉＧ１２０Ｂは、コア・ネットワーク１１０のＭＳＣ１１０Ａ、１１０Ｂへ組み込まれ、統合され得る。
【０１３３】
図１０は、呼設定要求をネットワーク・ノードにシグナリングするよう構成された所定のキーを含む端末１０２の概略図である。
【０１３４】
端末１０２の電子回路は、所定のキー１０２Ａを作動させた場合、音声メディア呼設定のために、ネットワーク接続１４１経由で、或いは、音声呼設定のために接続１４２経由で、ネットワーク１１０を経由してＶｉＶｏ１２０Ａにシグナリングを送る様に構成されている。このキー１０２Ａは、呼の最中に、音声とビデオ呼のメディア形式間の切り替えに使用される。回線交換型デバイスとして実現される端末１０２は、デュアル・トーン・マルチ周波数シグナリングを適用し、ＩＰデバイスとして実現される場合は、ＳＩＰシグナリングが使用される。図２の参照符号２０８Ａ、図４の参照符号４０８Ａ及び図６の参照符号６０２は、キー１０２Ａの作動及び、その後にＶｉＶｏ＋ＶｉＧ１２０が実行する交換動作を示している。
【０１３５】
図１１は、被呼端末の応答及び呼のメディア形式に関連する交換動作方式を表わす概略図である。
【０１３６】
本発明は、端末のデスプレイでの予測不可能な状況及び端末のラウド・スピーカの望まれない開始によるプライバシ侵害を所定の方法で阻止することができ、発呼側ユーザは、被呼端末のユーザの制御下で、ビデオ・テキスト・メッセージ又はムービーによって知らされる、という利点を提示する。
【０１３７】
更なる利点は、マルチメディア能力のある端末のユーザは、音声呼としてマルチメディア呼設定に応答する場合、ユーザ自身の端末が撮影するビデオ・コンテンツを見せること無しに、発呼側の端末に対してビデオ・コンテンツを制御する選択肢をまだ持つ、ということである。
【０１３８】
本発明の実現が提示する更なる利点は、適応を必要とせずに、最新式端末に本方法を適用できるが、作動する場合、確立した呼の異なるメディア呼形式への切り替えを実行するシーケンスを初期化した、又は、呼設定の間に、異なるメディア形式用に呼設定を初期化する、専用のキーをもつ端末に本発明を適用できる可能性がある、ということである。専用のキーは覚えるのに容易であり、使用するのに簡単である。
【０１３９】
また更なる利点は、各端末用のメディアが異なるような場合においても、最適な接続のために、発呼側及び被呼側の端末間のコーデック交渉を初期化する選択肢を持つ、ということである。
【図１】
0005727454.tif 000002
【図２】
0005727454.tif 000003
【図３】
0005727454.tif 000004
【図４】
0005727454.tif 000005
【図５】
0005727454.tif 000006
【図６】
0005727454.tif 000007
【図７】
0005727454.tif 000008
【図８】
0005727454.tif 000009
【図９】
0005727454.tif 000010
【図１０】
0005727454.tif 000011
【図１１】
0005727454.tif 000012